(57)【要約】【課題】  外壁内壁補修補強工事の既存モルタル等撤去は従来ハツリ工法であり、打撃破壊破断により生じる振動、騒音、粉塵は、居住者、近隣に作業公害ともいえる状況であり、居ながら或いは住まいながらの工事は中止せざるを得なかった。【解決手段】スリットを入れ、スリットで囲まれた部分の既存モルタル等を打撃を行わないで剥離する工法とすることにより、振動、騒音、粉塵の発生を抑制させることができる。【選択図】図１
2011169088.tif 000002
【特許請求の範囲】
【請求項１】
既存モルタル等にスリットを入れる第一工程、スリットで囲まれた内側部分に拡張子挿入孔明けをする第二工程、明けられた孔に拡張子を挿入し拡開させ剥離する第三工程からなる既存モルタル等剥離工法
【請求項２】
拡張子挿入孔に心棒押出拡開型拡張子を挿入し拡開させ剥離する第三工程からなる請求項１記載の既存モルタル等剥離工法
【請求項３】
第三工程内で、拡張子から心棒を突出させて既存モルタル等を浮き上がらせる構成からなる請求項２記載の既存モルタル等剥離工法
【発明の詳細な説明】
【技術分野】
【０００１】  本発明は、既存モルタル等のハツリを低振動低騒音少粉塵とした剥離工法に関する。
【背景技術】
【０００２】  リニューアル、リフォーム或いは耐震補強において居ながら即ち住まいながらの工事に要求されるのが低振動、低騒音、無粉塵工法であるが、外壁又は内壁補修補強における既存モルタル、表面コンクリート（既存モルタル等と記載）の剥離は従来ハツリ工法で行われている。【０００３】  従来のハツリ工法は、電動、空圧、油圧工具の何れも工具先端の刃先部分で既存モルタル等を打撃することにより既存モルタル等を剥離している。
【発明の概要】
【発明が解決しようとする課題】
【０００４】  従来のハツリ工法は既存モルタル等をハンマリングして打ち壊しているので、その打撃音が住居人及び近隣に振動、騒音が耳障りとなり、更に打撃剥離する際に生じる粉塵も環境負荷を生じさせている。【０００５】  本発明は、このような従来工法が有している振動、騒音を極小にし、粉塵発生も極力抑えることを目的とした工法である。
【課題を解決するための手段】
【０００６】  本発明は上記目的を達成するために、スリットを入れる第一工程、スリットで囲まれた内側部分に拡張子挿入孔を明ける第二工程、明けられた孔に拡張子を挿入拡開し既存モルタル等を剥離する第三工程を有する工法である。【０００７】  第一工程は既存モルタル等の剥離する部分に四角形、格子状又円形状に、剥離する厚み相当の深さに切り込みスリットを入れる。四角形又は格子状スリットを入れる工具は回転式のブレードを持つ切削工具で集塵式タイプの使用が好ましい。円形スリットは打撃をしない回転だけのコアドリルを使用する。環境に優しいことを加味すればコアドリル刃先に一般的に使用されている冷却用水ではなく冷却用泡の使用が最適である。このスリットは第三工程で拡張子が既存モルタル等を剥離する際の範囲、大きさを決めるものである。拡張子の拡開が横方向即ち拡開方向に既存モルタル等に亀裂を生じさせる力の及ぶ範囲と、剥離された既存モルタル等の塊を作業者が高所作業で持ち運べる大きさを鑑みてスリットの墨出しを行う。【０００８】  第二工程はスリットで区切られたほぼ中央部に第三工程で挿入される拡張子挿入孔明けをする。孔深さはスリットの深さと同程度か若干深め、孔径は拡張子挿入相応とする。孔明け工具は打撃をしない回転だけのコアドリルが好ましく且つ環境に優しいことを加味すればコアドリル刃先に一般的に使用されている冷却用水ではなく冷却用泡の使用が最適である。【０００９】  第三工程は第二工程で明けられた孔に拡張子を挿入拡開し既存モルタル等に横断面向に亀裂を生じさせスリット範囲内で破断させ、スリット範囲内で破断された既存モルタル等の塊を取り除く。拡張子は心棒押出工具の先端に装着され心棒押出工具のピストン運動により押し出される心棒により拡開される。拡張子の拡開により横方向の力を受けた既存モルタル等の塊をより取り除き易くするには、拡張子が拡開した状態で既存モルタル等の塊を心棒押出工具方向即ち剥離方向に持ち上げる作用が働く構成とする。この動きは心棒を拡張子から若干突出させる構成とすることにより得られる。心棒押出工具は電動、空圧、油圧又はそれらの組み合わせの種類を問わない。
【発明の効果】
【００１０】  上述したように本発明のモルタル等剥離工法は打撃による既存モルタル等のハツリを行わないので振動、騒音が皆無に等しい。【００１１】  また、ハツリ粉塵対策等は必要なく環境に優しい工法である。【００１２】  更に、第一工程でスリットを設けるので剥離される塊の大きさは、高所作業壁面でも作業者が持ち運べる程度の大きさにすることが出来、安全工法である。
【図面の簡単な説明】
【００１３】
【図１】本発明の概要断面図  （１）は第一工程  （２）は第二工程  （３−１）、（３−２）は第三工程  （３−３）モルタル持ち上げ構成作用
【図２】本発明の実施例を示すスリット、拡張子挿入孔位置図
【図３】本発明の実施例を示す拡張子、心棒部分図
【図４】は図３におけるＡ−Ａ線断面図
【図５】は本発明の別の実施例を示す拡張子、心棒部分図
【図６】は図５におけるＢ−Ｂ断面図
【発明を実施するための形態】
【００１４】  以下、本発明の実施の形態を図１に基づいて説明する。
【００１５】  第一工程：図１−（１）に示され、既存モルタル等を剥離する厚みまでスリット１を入れる。
【００１６】  第二工程：図１−（２）に示され、スリットで囲まれた中心部に拡張子挿入孔２を明ける。孔深さはスリットの深さと同程度か若干深めする。
【００１７】  第三工程：図１−（３）に示され、
図１−（３−１）拡張子挿入孔２に心棒押出工具先端５に装着された拡張子３を挿入
図１−（３−２）拡張子３を心棒押出工具により心棒４を押し出し拡張子３を拡開させ既存モルタルを剥離する。
【実施例】
【００１８】  コンクリート造でモルタルが３０ｍｍ打設されている外壁からモルタルを３０ｍｍ剥離する実施例を図に基づいて説明する。【００１９】  第一工程：図２に示される格子状にスリット１を入れる。集塵袋付電動カッター工具を用い、スリット深さは３０ｍｍとする。実際の現場ではモルタル厚が一定でないことが多いので既存コンクリートに若干切り込まれる程度までスリットを入れることとする。スリット幅は切削ブレードの厚みで２ｍｍ程度であるが、既存外壁のモルタルを剥がさない部分との境目はスリット幅をほぼ２倍に拡げて第三工程での横方向破断が影響されないで剥離されるようにすることが好ましい。【００２０】  第二工程：図２に示される格子状のスリット位置の各四角形の中心部にコアドリルで拡張子挿入孔２を明ける。孔径は２５ｍｍ、深さはスリット１の深さより若干深めとしプラス３〜５ｍｍ程度とする。孔明け工具は打撃作用の無い回転式コアドリルを使用する。更にコアドリル刃先の冷却は水に替えて泡を使用した。泡は騒音の低減、粉塵飛散防止、作業環境クリーン性のアップ等メリットは多大である。【００２１】  第三工程：拡張子挿入孔２に拡張子３を挿入する。拡張子３の外径は挿入孔２の内径にほぼ等しい。心棒押出工具を作動させ心棒４を押し出し拡張子３を拡開させる。心棒押出工具は電動＋油圧組み合わせのハイブリッド工具を用い、拡張子は図３，図４に示される形状とする。拡張子３の拡開によりスリット１で囲まれた既存モルタルに拡開部位に応じた横方向に亀裂が入りコンクリートとモルタルのほぼ界面で断面破断する。
既存モルタル塊を取り除きやすくするために、心棒４を拡張子３から突出させて更にコンクリート壁方向に若干進ませる構成、図１（３−３）に示される、とし、破断された既存モルタル塊を浮き上がらせ、取り除く。【００２２】  本実施例では、スリット１を格子状としたが丸形状等現場に応じた形があり、第二工程のコアドリルも泡に限定されるものではなく、第三工程の工具も種類を限定するものではない。更に、拡張子１と心棒３の形状も図５、図６に示されるように心棒３の先端が太径で４つ割りである等の組み合わせも有効である。【００２３】  通常コンクリート造の建物は仕上材としてタイル、塗装等が施されているが、本発明の実施形態では、それら仕上材の上からスリットを入れ、孔明けをすることができる。
【符号の説明】
【００２４】    １  スリット
２  拡張子挿入孔
３  拡張子
４  心棒
【図１】
2011169088.tif 000003
【図２】
2011169088.tif 000004
【図３】
2011169088.tif 000005
【図４】
2011169088.tif 000006
【図５】
2011169088.tif 000007
【図６】
2011169088.tif 000008